(57)【特許請求の範囲】
【請求項１】
両端にラチェットギア２を設けたベルト巻回リール３の両端に本体４の一端部とレバー５の基端とを回動自在に嵌合し、本体４とレバー５にそれぞれバネ42，52により前記ラチェットギア２に係合する方向に附勢された係合爪43，53を設け、該両係合爪43，53がラチェットギア２のベルト引出し方向への回転を阻止するようにし、半割軸１の一端部にツマミ12を設けると共に、ラチェットレンチ等の締付工具の嵌合部11を設け、本体４腹面にマグネット44を設け、鋼柱に接合して台付金具の取付作業を容易にすることを特徴とするベルト締付具。
【発明の詳細な説明】
【０００１】
【発明の属する技術分野】
本願は、ラチェット機構を利用して巻取軸を一方向に回転させてベルトを順次巻き取って締付ける構成のベルト締付具に関するものである。
【０００２】
【従来の技術】
従来のラチェット機構を利用したベルト締付具は、トラック等の積荷をベルトで繋ぎ止めるのに使用されており、簡単容易に締付けることができ広く使用されている。
【０００３】
よって、前記ベルト締付具を建築現場で働く高所作業者の墜落防止のために鋼管柱又はＨ鋼柱間に水平親ロープを張設する場合に、柱に回し掛けする台付金具の締付具として利用する提案がなされた。
なぜなら、建築現場の鋼管柱又はＨ鋼柱には水平親ロープの台付金具を取付ける取付金具などは無く、ロープ式の台付金具を回し掛けして使用しているが、取付時に弛んでずり落ちたり、また、取外し時に水平親綱の緊張器を弛めた時に柱に添って一気にずり落ちたりして危険な場合があった。
また、従来のロープ式の台付金具により水平親ロープを設置する場合、一人で各柱に台付金具を回し掛けして行っていたのでは、設置中に台付金具がずり落ちることがあるので、各柱に作業者を配置し台付金具のロープ部分を持って高さ等を調節しながら水平親ロープを張設していた。
【０００４】
【発明が解決しようとする課題】
しかし、従来のラチェット機構のベルト締付具を用いた台付金具では、柱の側面にあてがって取付けることは、不安定な所での作業となり容易ではなく、また大きくて柱より出ていると梁上を歩行する作業者にとっては危険な場合もあり、取付が容易であると共に、小型にして出っ張りを少なくして、安全に作業できる建築現場に合ったベルト締付具に改良する必要がでてきた。
【０００５】
【課題を解決するための手段】
よって本願は、上記したラチェット機構を利用したベルト締付具において、従来のように緊張時に往復回動するレバー機構を無くし、係合爪の解除機能のみとして小型にし、緊張するのは、半割軸の先端部に設けた締付工具の嵌合部に、作業者が持っているシノ付ラチェットレンチを嵌合して締付けるようにしたものである。
また、本体にマグネットを設け、鋼管柱にくっつくようにして落下を防止し、台付金具のセッティングを容易にするものである。
【０００６】
【実施例】
本願の実施例を詳記すると、
本願は、従来のラチェット機構を備えたベルト締付具と同様に、本体４の側板４１外側両端にラチェットギヤ２を設けたベルト巻回リール３の両端に本体４の一端部とレバー５の基端とを回動自在に嵌合し、本体４とレバー５にそれぞれバネ４２，５２により前記ラチェットギヤ２に係合する方向に附勢された係合爪４３，５３を設け、該両係合爪４３，５３がラチェットギア２のベルト引出し方向への回転を阻止するようにし、半割軸１の一端部にツマミ１２を設けると共に、先端部に六角ボルト形状または四角穴のラチェットレンチ等の締付工具の嵌合部１１を設け、該嵌合部１１にラチェットレンチ等の締付工具を嵌合し、往復回動して締付ける構造を有している。
また、本体４にはマグネット４４を設けるものである。
【０００７】
半割軸１は、一端部にツマミ１２を嵌合し、Ｃ形止め輪１３により抜け止を行うものである。
ラチェットギヤ２は、鉄板に半割軸１の半割穴２１を設け、外周には１４分割したギア部を形成したものである。
本体４は、鉄板を略コ字状に折曲して、対向する側板４１，４１間に半割軸１の貫通穴４５、連結軸穴４６、係合爪長穴４７を設けると共に、底片にマグネット穴４８を設け、係合爪長穴４７に係合爪４３を嵌合すると共に、バネ４２を配し、マグネット穴４８にマグネット４４を嵌合したものである。
レバー５は、側板５１に半割軸１の貫通穴５５、連結フレーム穴５６、係合爪長穴５７、カム部５８を設け、連結フレーム穴５６に連結フレーム５４を嵌合し、係合爪長穴５７に係合爪５３を嵌合すると共に、バネ５２を配したものである。
上記部品を図５のようにして組み立て、最後に半割軸１を貫通し、抜け止めピン１４により抜け止を行い組立完了となるものである。
【０００８】
従来のラチェット機構を備えたベルト締付具は、レバーを往復回動すればベルトを緊張することができるのであるが、本願締付具のレバー５は、係合爪４３の解除のみとし、緊張するには、半割軸１の先端部に設けた嵌合部１１にラチェットレンチ等の締付工具を嵌合し、それによって往復回動し、ベルトＢを巻き取るものである。
なお、図面では、嵌合部１１を六角ボルト形状としているが、四角穴或いは六角穴を設けてソケットレンチのラチェットハンドルを嵌合部１１に嵌合することも可能である。
【０００９】
本願のベルト締付具を用いた台付金具を使用するには、先ずベルト締付具を柱の側面に当てがいマグネット４４によりくっつけ、連結軸６にベルト一端の連結フックを嵌合し、ベルトＢ他端を引き弛みを取る。そして、ベルトに挿通したリングＡを所定位置に配置し、半割軸１の先端部に設けた六角ボルト形状の嵌合部１１にラチェットレンチを嵌合し、回動して締付けるものである。
その後、リングＡに水平親ロープＲのフックＨを嵌合し、水平親ロープＲの緊張器Ｋを締付けて柱間に張設するものである。
取外し時は、水平親ロープＲの緊張器Ｋを弛めて水平親ロープＲのフックＨをリングＡより外す。続いて締付具のレバー５の係合爪５３を外し、起して係合爪解除位置まで回動すれば、カム部５８により係合爪４３を押下げてラチェットギア２より外すことができ、ベルトＢの張力により半割軸１が回転しベルトＢは弛むものである。
【００１０】
【発明の効果】
以上のように本願のベルト締付具を用いたことにより、柱の側面に容易に取付け可能であり、不安定な高所位置での台付金具の取付作業を安全に行うことができ、作業者の不安を無くすことができる。
また、一人で水平親ロープの設置作業が可能となり効率向上が図れる。
【図面の簡単な説明】
【図１】本願ベルト締付具の斜視図。
【図２】本願ベルト締付具の一部切欠したところの平面図。
【図３】本願ベルト締付具の正面図。
【図４】本願ベルト締付具の解除時の一部切欠したところの平面図。
【図５】本願ベルト締付具の分解斜視図。
【図６】本願ベルト締付具のベルト挿入状態の断面図。
【図７】本願ベルト締付具の使用状態図。
【符号の説明】
１  半割軸
２  ラチェットギア
３  リール
４  本体
５  レバー
６  連結軸
１１  嵌合部
１２  ツマミ
１３  Ｃ形止め輪
１４  抜け止めピン
４１  側板
４２  バネ
４３  係合爪
５１  側板
５２  バネ
５３  係合爪
Ａ  リング
Ｂ  ベルト
Ｈ  フック
Ｋ  緊張器
Ｒ  親ロープ
【図１】
0003602080.tif 000002
【図２】
0003602080.tif 000003
【図３】
0003602080.tif 000004
【図４】
0003602080.tif 000005
【図５】
0003602080.tif 000006
【図６】
0003602080.tif 000007
【図７】
0003602080.tif 000008